(57)【特許請求の範囲】
【請求項１】
空気の通風路ケーシング内に着脱自在に装着され、大きさを拡縮自在に変化させ得る環状の保持体と、
該保持体に連結して設けられた支持部と、
該支持部に軸支され、前記空気の通風路ケーシング内を開閉する羽根体と、を備え、
羽根体は支持部を介して保持体に連結され、これら全体でケーシング内を移動可能としつつ、保持体を介してケーシング内の所要の位置で全体を係止保持させるようにしたことを特徴とする簡易取付型ダンパー。
【請求項２】
前記保持体は、弾性的に拡縮するバネ部材からなる請求項１記載の簡易取付型ダンパー。
【請求項３】
前記バネ部材は、環状の一部に切欠部を設けた線材からなる請求項１または２記載の簡易取付型ダンパー。
【請求項４】
前記羽根体は、前記保持体の対向する両端部で枢支された略コ字状又は半円弧状の二つの枠体と、該両枠体に張設され、保持体の開口部を開度調整する膜体からなる蝶形羽根を備えてなる請求項１ないし３のいずれかに記載の簡易取付型ダンパー。
【請求項５】
前記バネ部材には、その大きさを拡縮自在に変化操作させるための拡縮操作部が設けられてなる請求項２または３記載の簡易取付型ダンパー。
【請求項６】
前記拡縮操作部は、前記バネ部材の線材の切欠部の両端縁から空気の通風方向へ折曲された一対の操作アームである請求項５記載の簡易取付型ダンパー。
【請求項７】
前記拡縮操作部には、前記通風路ケーシング内に装着させたバネ部材の装着状態を確保する間隔保持杆が係着されてなる請求項５又は６記載の簡易取付型ダンパー。
【請求項８】
前記操作アームの端部は、前記線材の中心方向へ折返し状に折曲されてストッパ部が形成されてなる請求項６又は７記載の簡易取付型ダンパー。
【請求項９】
前記支持部は、前記環状の保持体に沿って移動し得るように係嵌されてなる請求項１ないし８のいずれかに記載の簡易取付型ダンパー。
【請求項１０】
前記支持部と前記環状の保持体、前記支持部と前記枠体とはそれぞれ遊嵌状に取付け接続されてなる請求項４ないし９のいずれかに記載の簡易取付型ダンパー。
【請求項１１】
前記支持部は、弾性を備えた支持板で形成されてなる請求項１ないし１０のいずれかに記載の簡易取付型ダンパー。
【請求項１２】
前記羽根体は、平板状のフレームに長矩形状の整流翼を形成すべく、略コ字状の複数のスリットを設け、このスリットを押し立てて複数の整流翼を形成させ、これらの整流翼を押し立てた整流翼跡を通風開口部とし、
前記フレームの対向する両端部には、前記支持部に連結する連結部が設けられてなる請求項１ないし３のいずれかに記載の簡易取付型ダンパー。
【請求項１３】
前記羽根体は、平板状の板体の中央部に折曲部を形成させて開口部を開度調整させる蝶形羽根とし、前記板体の中央部両端縁には、前記支持部に連結する連結部が設けられてなる請求項１ないし３のいずれかに記載の簡易取付型ダンパー。
【発明の詳細な説明】
【０００１】
【産業上の利用分野】
本発明は、ダクトやダンパー内、吹出口、フレキシブルダクト、空調チャンバー等のネック部、ダクトの継手接続口、その他の通風路に簡単に取付け、取外しできる簡易取付型ダンパーに関するものである。
【０００２】
【従来の技術】
建物の室内の空気を調和するため空気調和用ダンパーが知られており、風量調整用ダンパー、定風量ダンパー、防煙、防火ダンパー等がその用途に応じて設置されている。図１４は、天井裏空間に設置した空調チャンバーと吹出口との接続部分に従来の風量調整用ダンパーを取り付けた状態を示しており、この従来の風量調整用ダンパーは、例えば、中折れ状に開閉可能な羽根体を環状枠体の内部に支持して構成されている。
【０００３】
【発明が解決しようとする課題】
このような風量調整用ダンパーの建物新築時の取付については予め接続部分にリベット止め等により組み付けておいて吹出口とチャンバー等を連結させるだけで良いから施工上の問題はそれほどないが、設計変更やダンパーの取り替え時にはリベット加締め固定されているのが通常であるから現場での施工作業において、吹出口のコーン部分を取り外して開口から手を差し込んで取り外し作業をしたり、場合によっては天井裏側の吹出口とチャンバーとの接続部分の取り外しから行なわねばならない等の極めて煩雑で手間のかかる作業を強いられ、かつ、比較的小型の空調部品であるわりには施工時間もかかるという問題があった。特に、ビス止めの場合にビスが錆付いたり、或はリベットで固定された環状枠体や支持板はネック部内からの取り外しが困難で、接続部分をはつりしながら取外して吹出口やチャンバー全体を交換せざるを得ない場合があり、天井裏等の狭い空間内でのダンパー取付、交換作業が手間どり、施工現場で設計、仕様変更等でダンパーの取付け、取外し、或は通風路ケーシング内の任意の位置への変更取付け等に柔軟に対応できず、ダンパーの施工作業や利用について効率が劣るという問題があった。
【０００４】
本発明は、上記従来の問題点に鑑みてなされたものであり、その目的は、（１）既設、或は新設の通風路ケーシング内に、後付け状にダンパーを取付けでき、施工現場でダンパーの設計、仕様変更等があってもダンパーの取付け、取外し、変更取付等に柔軟に対応でき、（２）ダンパーの構造が簡単であり、使用中に故障しにくく保守、点検も容易であり、かつ製造も容易でコストも安価であり、（３）更に、ダンパーそのものの重量が軽量で運搬、取扱、施工等を簡単かつ迅速に行え、（４）熟練した作業者でなくてもダンパーの取付け、取外し作業を簡易に行える簡易取付型ダンパーを提供することにある。
【０００５】
【課題を解決するための手段】
上記の目的を達成するために、本発明は、空気の通風路ケーシング１２内に着脱自在に装着され、大きさを拡縮自在に変化させ得る環状の保持体１４と、該保持体１４に連結して設けられた支持部１６と、該支持部１６に軸支され、前記空気の通風路ケーシング１２内を開閉する羽根体１８と、を備え、羽根体１８は支持部１６を介して保持体１４に連結され、これら全体でケーシング１２内を移動可能としつつ、保持体１４を介してケーシング内１２の所要の位置で全体を係止保持させるようにした簡易取付型ダンパー１０から構成される。
【０００６】
また、前記保持体は、弾性的に拡縮するバネ部材２８からなることとしてもよい。
【０００７】
また、前記バネ部材２８は、環状の一部に切欠部３０を設けた線材３２からなることとしてもよい。
【０００８】
また、前記羽根体１８は、前記保持体１４の対向する両端部で枢支された略コ字状又は半円弧状の二つの枠体５０、５０と、該両枠体５０、５０に張設され、保持体１４の開口部を開度調整する膜体５２からなる蝶形羽根５４を備えてなることとしてもよい。
【０００９】
また、前記バネ部材２８には、その大きさを拡縮自在に変化操作させるための拡縮操作部３４が設けられてなることとしてもよい。
【００１０】
また、前記拡縮操作部３４は、前記バネ部材２８の線材３２の切欠部３０の両端縁から空気の通風方向へ折曲された一対の操作アーム３６、３６であることとしてもよい。
【００１１】
また、前記拡縮操作部３４には、前記通風路ケーシング１２内に装着させたバネ部材２８の装着状態を確保する間隔保持杆３８が係着されてなることとしてもよい。
【００１２】
また、前記操作アーム３６、３６の端部は、前記線材３２の中心方向へ折返し状に折曲されてストッパ部４８、４８が形成されてなることとしてもよい。
【００１３】
また、前記支持部１６、１６は、前記環状の保持体１４に沿って移動し得るように係嵌されてなることとしてもよい。
【００１４】
また、前記支持部１６と前記環状の保持体１４、前記支持部１６と前記枠体５０とはそれぞれ遊嵌状に取付け接続されてなることとしてもよい。
【００１５】
また、前記支持部１６は、弾性を備えた支持板６０で形成されてなることとしてもよい。
【００１６】
また、前記羽根体１８は、平板状のフレーム６８に長矩形状の整流翼７２を形成すべく、略コ字状の複数のスリット７０を設け、このスリット７０を押し立てて複数の整流翼７２を形成させ、これらの整流翼７２を押し立てた整流翼跡を通風開口部７４とし、前記フレーム６８の対向する両端部には、前記支持部１６に連結する連結部７６が設けられてなることとしてもよい。
【００１７】
また、前記羽根体１８は、平板状の板体８２の中央部に折曲部８４を形成させて開口部を開度調整させる蝶形羽根８６とし、前記板体８２の中央部両端縁には、前記支持部１６に連結する連結部７６が設けられてなることとしてもよい。
【００１８】
【発明の実施の形態】
本発明の簡易取付型ダンパーは、空気の通風路ケーシング内に着脱自在に装着され、径の大きさを拡縮自在に変化させ得る環状の保持体と、該保持体に設けられた支持部と、該支持部に軸支され、前記空気の通風路ケーシング内を開閉する羽根体とを備えている。保持体の形状は、通風路ケーシングの形状に対応して円形、四角形、多角形等の任意の形状でもよいが、他の空調機器との接続、或は製造の容易さ、保守、点検等の問題を考慮すれば、円形や四角形の形状が好適である。構造そのものも、大きさを拡縮自在に変化させ得るものであれば任意に構成してもよい。
【００１９】
保持体は、弾性的に拡縮するバネ部材からなることとしてもよい。このバネ部材は、弾性を有した金属線、例えば、弾性限度や疲れ限度が高いばね鋼で形成した鋼線でもよいし、環状に形成した板バネでもよい。設置すべき空気通路の断面の大きさよりやや大きな外径として形成され、通風路ケーシングの形状と対応した円形、四角形、多角形等に形成される。
【００２０】
この弾性を有した保持体をバネ部材で構成して羽根体を支持することにより、既設或は新設の通風路ケーシング内に、具体的に簡易に後付け状にダンパーを取付けることができ、施工作業が簡単で施工時間を大幅に短縮できる。また、ダンパーを後付けできるので空調機器類の設計もし易い。更に、施工後にダンパーの仕様変更があっても、簡単に交換、取付けできるため柔軟に対応できる。
【００２１】
前記バネ部材は、環状の一部に切欠部を設けた線材からなることとしてもよい。この切欠部によりバネ部材の大きさの拡縮方向への拡縮幅を大きくとれ、種々の通風路の大きさ、種類に対して柔軟に設置することができる。
【００２２】
また、羽根体は、保持体の対向する両端部で枢支された略コ字状又は半円弧状の二つの枠体と、該両枠体に張設され、保持体の開口部を開度調整する膜体からなる蝶形羽根を備えてなることとしてもよい。通風路ケーシングが中空円筒状の形状の場合には、羽根体は半円弧状の二つの枠体を相互に枢支してこれに膜体を張設した蝶形羽根に形成する。通風路ケーシングが中空四角筒状、中空多角筒状等の形状の場合には、羽根体は、コ字形、或は半裁四角形や半裁多角形の形状の枠体を相互に枢支し、これに膜体を張設して蝶形羽根に形成する。膜体としては、耐炎性、自己消火性等に優れた難燃性の布、例えば、ガラス繊維で織成した布等が好ましい。膜体は難燃性の布に限ることなく、薄膜状の金属膜、樹脂膜等で構成してもよい。蝶形羽根は、空気の通風方向の低圧側へ向け蝶羽根状に開閉できて通風路ケーシングの開口部の開度を調整できる。このときに、空気流は膜体に沿って滑らかに流れて膜体に接触したときの衝撃が緩衝され、蝶形羽根に接触しつつ通流する空気流による風切音の発生を防止できる。羽根体は、枠体に膜体を張設したものに限ることなく、通風路ケーシング内を閉鎖可能な板体に通風開口部が開口された羽根体、或は、蝶形状に折曲可能な板体で形成した羽根体として保持体に支持してもよい。
【００２３】
また、前記バネ部材には、その大きさを拡縮自在に変化操作させるための拡縮操作部が設けられ、前記拡縮操作部は、前記バネ部材の線材の切欠部の両端縁から空気の通風方向へ折曲された一対の操作アームであることとしてもよい。この操作アームをつまんで圧縮しながらバネ部材の大きさを縮形して通風路ケーシング内へ容易に装着できる。この操作アームは、切欠部の両端縁から空気の通風方向となる方向へ鈍角状に折曲され、相互に交差した部位が枢着された交差杆に形成し、この交差杆の端部を把持して圧縮操作しながらバネ部材の大きさを拡縮自在に変化させてもよい。また、操作アームの替わりに、切欠部の両端縁に球状や板状等の突起体を固定し、この突起体をつまんで圧縮するようにしてもよい。
【００２４】
また、前記拡縮操作部には、前記通風路ケーシング内へのバネ部材の装着状態を確保する間隔保持杆が係着されてなることとしてもよい。この間隔保持杆は板バネ、鋼線等で形成し、両端に操作アームに係着する係合片、係止輪を有している。この間隔保持杆でバネ部材を環状に保持して通風路ケーシング内に強固に係止しつつ通風路ケーシング内に位置決めでき、使用中の位置ずれも防止できる。
【００２５】
また、前記操作アームの端部は、前記線材の中心方向へ折返し状に折曲されてストッパ部が形成されてなることとしてもよい。間隔保持杆が操作アームから空気の流れ方向に移動して離脱するのを防止し、保持体の位置決めを確実に保持する。ストッパ部は操作アームの端部を折曲したものでなく、突出片、つまみその他の制止部材を取りつけるようにしても良い。
【００２６】
前記支持部は、前記環状の保持体に沿って移動し得るように係嵌され、また、前記支持部は、弾性を備えた支持板で形成され、前記支持部と前記環状の保持体、前記支持部と前記枠体とはそれぞれ遊嵌状に取付け接続されてなることとしてもよい。バネ部材に支持した羽根体の向きや開度調整の開口部の設定位置を簡単に調整でき、バネ部材の径の大きさを弾性的に拡縮させるとき、支持板もバネ部材の半径方向へ自由に弾性変形してバネ部材の拡縮動作が阻害されることがない。支持部は、金属板バネ、ゴム、合成樹脂を素材とした非金属板バネ、或は金属バネや非金属バネを素材とした支持線であってもよい。
【００２７】
また、前記羽根体は、平板状のフレームに長矩状の整流翼を形成すべく、略コ字状の複数のスリットを設け、このスリットを押し立てて複数の整流翼を形成させ、これらの整流翼を押し立てた整流翼跡を通風開口部とし、前記フレームの直径方向の両端側には、前記支持部に連結接続する連結部が設けられてなることとしてもよい。平板状で構成が簡略な羽根体を保持体に支持しつつ通風路ケーシング内へ簡単に取付け、取外しできる。また、羽根体は中央部に同羽根体を蝶形羽根状に折曲できる折曲部を設けてもよい。
【００２８】
また、前記羽根体は、平板状の板体の中央部に折曲部を形成させて開口部を開度調整させるような蝶形羽根とし、前記板体の中央部両端縁には、前記支持部に連結接続する連結部が設けられてなることとしてもよい。保持体の支持部に羽根体の連結部を連結して支持しつつ通風路ケーシング内へ簡単に取付け、取外しできる。また、平板状の板体にスリットを設けて整流翼を押し立ててもよい。
【００２９】
【実施例】
以下、添付図面に基づいて本発明の好適な実施例を説明する。図１、図２、図３には、本発明の第１実施例に係る簡易取付型ダンパー１０ａが示されている。  図３において、簡易取付型ダンパー１０ａは、空気の通風路ケーシング１２内に着脱自在に装着され、大きさを拡縮自在に変化させ得る環状の保持体１４と、該保持体１４に設けられた支持部１６と、該支持部１６に軸支され、前記空気の通風路ケーシング１２内を開閉する羽根体１８とを備えている。
【００３０】
実施例において、この簡易取付型ダンパー１０ａは、例えば、図１３に示すように天井面に設置された吹出口２０と、この吹出口が接続された空調チャンバー２２との接続部分に配置される。図１、図２において、通風路ケーシング１２に装着する環状の保持体１４は、半径方向に弾性的に拡縮するバネ部材２８で円形環状に形成されている。この弾性を有したバネ部材２８は、例えば、弾性限度や疲れ限度が高いバネ鋼で形成された鋼線等を素材とし、通常は吹出口やフレキシブルダクトに接続された筒体状の接続部２４等の径より大きな円形に形成され、装着するときには縮めた状態で取扱い、ダクト等内に装着しているときには内面に所要の押圧力を付勢させて係止される。また、ダクト内に係止されているバネ部材２８は縮めることによりダクト等内から簡単に取外しできる。このバネ部材２８は、金属バネに限ることなく、硬質ゴム、合成樹脂等を素材とした非金属バネで形成した弾性非金属線で環状に形成してもよい。また、保持体１４は、弾性的に拡縮するバネ部材２８に限ることなく、構造そのものの大きさを拡縮自在に変化させ得るものであれば任意に構成してもよい。
【００３１】
これにより、既設、新設の空調機器類の通風路ケーシング１２内に、後付け状に簡易取付型ダンパー１０を取付けることができ、施工作業が簡単で施工時間を大幅に節約でき、ダンパーを後付けできるため空調機器類の設計、仕様変更等に柔軟に対応できる。また、ドライバー等の工具類を使用する必要もなく、バネ部材２８の弾力で簡単に取付、取外しができる。また、バネ部材２８は円形環状の形状に限ることなく、通風路ケーシング１２の形状に合わせて四角環状、多角環状等に形成してもよい。
【００３２】
図１、図２、図３に示す様に、バネ部材２８は、円形環状の一部に切欠部３０を設けたリング状の線材３２から形成されている。この切欠部３０は、図上でリング状の線材３２の下部位置に切開されている。この切欠部３０によりリング状の線材３２はその径の拡縮の程度を大きく変化でき、通風路ケーシング１２の断面の大小に対応して用いることが可能となり、通風路ケーシング内へのリング状の線材の取付、取外しの実効を確保できる。
【００３３】
また、バネ部材２８には、その大きさを拡縮自在に変化操作させるための拡縮操作部３４が設けられている。この拡縮操作部３４は、リング状の線材３２の切欠部３０の両端縁から空気の通風方向へ向け、垂直に折曲された一対の操作アーム３６、３６として構成されている。即ち、この操作アーム３６、３６は、線材３２に対し平面視でΠ字状で、かつ鉛直方向に配置した線材３２に対し水平方向へ向けて折曲されている。これにより、バネ部材２８は、拡縮操作部３４の一対の操作アームを把持して内側へ圧縮することにより通風路ケーシング１２に対して簡単に係着、脱着を行える。また、拡縮操作部３４は、切欠部３０の両端縁から空気の通風方向へ平行に折曲された一対の操作アーム３６、３６で構成しているが、これに限ることなく、例えば、切欠部３０の両端縁から平面視で鈍角状に折曲した操作アーム３６、３６を交差延設して交差部を枢着させ、この交差枢着された操作アームの端部を圧縮操作してバネ部材２８の径を拡縮動作させてもよい。
【００３４】
図７、図８に示す様に、拡縮操作部３４には、通風路ケーシング１２内に装着させたバネ部材２８の装着状態を確保する間隔保持杆３８が係着されている。図７に示す間隔保持杆３８ａは、リング状の線材３２の切欠部３０の切欠幅よりやや長くて上下方向に湾曲可能な板バネ４０で形成され、この板バネ４０の両端には、上下方向に交互に折曲された複数の割形係合片４２が設けられている。この板バネ４０は、上方または下方へ湾曲して両端の複数の割形係合片４２、４２をリング状の線材３２の切欠部３０の両端縁に折曲された一対の操作アーム３６、３６に係着させ、その後で板バネ４０を扁平に復帰させる。この間隔保持杆３８ａで操作アーム３６、３６が近接しないように相互の間隔を一定に保持することにより、ダンパー１０を通風路ケーシング１２内に取付たときに、バネ部材２８が縮径されて通風路ケーシング内で位置ずれすることなく、所定位置に確実に取付固定できる。また、通風路ケーシング１２の内面に係着させたリング状の線材３２は通風路ケーシング１２の内面に対する圧接状態が保持されて離脱を防止できる。
【００３５】
また、図８に示す間隔保持杆３８ｂは、金属、硬質合成樹脂等を素材とし、リング状の線材３２の切欠部３０の切欠幅よりやや長い長板４４で形成され、この長板４４の両端寄り位置に２本の操作アーム３６、３６に係着する係止孔４６、４６が開孔されている。この長板４４からなる間隔保持杆３８ｂにおいても、操作アーム３６、３６に係止孔４６、４６を通係状に係着させて操作アームの間隔を保持することにより、リング状の線材３２は通風路ケーシング１２の内面に対する圧接状態が保持されて離脱することがなく、ダンパー１０を通風路ケーシング１２内の所定位置に確実に取付固定できる。
【００３６】
また、図７、図８に示す様に、一対の操作アーム３６、３６の端部は、リング状の線材３２の中心方向へ折返し状に折曲（側面視略Ｌ字状）されてストッパ部４８、４８が形成されている。このストッパ部４８は操作アーム３６から間隔保持杆３８が風圧等により空気の流れ方向に移動して離脱し、ひいては保持体１４の取付位置の位置ずれを生じさせることを防止する。同時にこのストッパ部４８は後述する蝶形の羽根５４の全閉位置の位置決め及び全閉状態の確実な保持を行なう。
【００３７】
図１、図２、図３に示す様に、羽根体１８は、保持体１４の直径部両端で枢支された円弧状の二つの枠体５０、５０と、該両枠体５０、５０に張設され、保持体１４の開口部を開度調整する膜体５２からなる蝶形羽根５４を備えている。この蝶形羽根５４は、保持体１４の直径部両端に直接枢着してもよいが、リング状の線材３２で構成された保持体１４の拡縮作動を行い易くするために、図３、図４に示す様に、保持体１４の直径部両端において同保持体１４に取付けられて空気の通風方向の高圧側へ突設された支持部１６、１６に枢支されている。
【００３８】
即ち、支持部１６、１６の相互に対向した内面側で、同支持部１６、１６の端部側に設けた枢支ピン５６、５６に円弧状の枠体５０、５０の両端側が枢着されている。この枠体５０、５０は、その内径が保持体１４の内径よりやや小さく形成されている。この枠体５０、５０に張設した膜体５２は、耐炎性、自己消火性等に優れた難燃性の布、例えば、ガラス繊維で織成した布等が好ましい。また、枠体５０、５０の外周面には、多孔性で柔らかい材質のスポンジパッキン５８が枠体５０、５０と同一幅に貼着固定されている。
【００３９】
従って、蝶形羽根５４は、枠体５０、５０が枢支ピン５６、５６に対し空気の通風方向の低圧側へ向け蝶形羽根状に開閉し得る様に枢着されているので、保持体１４を装着させた通風路ケーシング１２の開口部の開度を蝶形羽根５４で調整できる。このとき、空気流は枠体５０、５０に張設した膜体５２に沿って滑らかに流れて膜体５２に接触したときの衝撃が緩衝される。また、空気流が膜体５２から離脱するときに多孔性で柔らかい材質のスポンジパッキン５８と接触して一部の空気流がスポンジパッキン５８に吸収され、蝶形羽根５４に接触しつつ通流する空気流による風切音の発生を防止できる。また、枠体５０、５０を直立させて通風路ケーシング１２の開口部を閉鎖するときには、スポンジパッキン５８が通風路ケーシング１２の内周面に密着して内部を気密状に閉塞できる。
【００４０】
これにより、羽根体１８は、保持体１４に蝶形羽根５４を枢支させた簡単な構造であるが、ダンパーとしての機能が失なわれることなく、ネック部等の通風路ケーシング１２内への取付、取外しを簡単に行え、更に、空気を通風路の周縁側に振り分け通流させて整流作用や消音作用にも優れることとなる。
【００４１】
図３、図４に示す様に、支持部１６、１６は、例えば、板バネのような弾性を備えた支持板６０、６０で形成されている。この支持部１６、１６は保持体１４に取付け、この支持部１６、１６に羽根体１８を支持するものである。実施例において、支持板６０、６０の一端は、環状の保持体５４に沿って移動し得るように、保持体５４に対して遊嵌状に折曲６２、６２されてリベットピン６４、６４で係止されている。この支持部１６、１６は、金属板バネを素材として形成したものに限ることなく、例えば、ゴム、合成樹脂を素材とした非金属板バネ、或は金属バネや非金属バネを素材とした支持線等で形成してもよい。また、支持部１６、１６は、保持体１４に対して固定的に取りつけても良い。その形状や構造も任意で良く素材も板部材に限らない。
【００４２】
図３、図４に示す様に、支持板６０、６０の他端には枢支ピン５６、５６が取付けられ、この枢支ピン５６、５６に半円弧状の枠体５０、５０が枢着されている。実施例では、羽根体１８が円形であるため、枠体５０、５０は半円弧状に形成されているが、これに限らず、羽根体１８が四角形の場合には、枠体５０、５０は略コ字状に形成され、また半截四角形や半截多角形に形成してもよい。
【００４３】
実施例では、支持部１６、１６に取り付けた羽根体１８を支持部１６、１６と共に環状の保持体１４に沿って摺動でき、バネ部材である保持体１４に支持した羽根体１８の向きや開度調整の開口部の設定位置を簡単に調整できる。また、保持体１４の径の大きさを縮めた状態で通風ケーシング等内へ挿入する場合に保持体１４の形状変化に伴って支持部１６、１６も動くから、拡縮の操作の際に羽根体１８の外形を変形させたり、損傷させたり、あるいは枠体５０、５０に影響を与えることなく、円滑に通風ケーシング等内に対する挿入、取外しを行え、また、同時に係止位置も調整可能となる。更に、操作アーム３６、３６を操作してバネ部材２８の径の大きさを弾性的に拡縮させるときに、支持板６０、６０もバネ部材２８の半径方向へ自由に弾性変形してバネ部材２８の拡縮動作が阻害されることがなく、羽根体１８を支持したバネ部材２８の通風路ケーシング１２内への取付、取外しの実効を確保できる。
【００４４】
次に、本発明の第１実施例に係る簡易取付型ダンパー１０ａの作用を説明する。簡易取付型ダンパー１０ａは、例えば、図１３に示す様に、天井裏空間に空調チャンバー２２を施工設置するときに、この空調チャンバー２２の下面に突設された接続口２４ａ内に後付け状に取付けられる。即ち、図３の仮想線や図４に示す様に、羽根体１８を環状の保持体１４に対して空気の通風方向の低圧側へ向け蝶形羽根状に折曲し、リング状の線材３２に設けた一対の操作アーム３６、３６を指先で把持し、これらを内側方向へ圧縮しつつ保持体１４を縮径させ、この状態で前記接続口２４ａ内へ保持体１４及び羽根体１８を挿入する。所定の位置で操作アーム３６、３６の圧縮を解放する。これにより、リング状の線材３２の復元弾力で保持体１４は安定して接続口２４ａの内面に係止される。
【００４５】
この操作アーム３６、３６には、図７に示す、間隔保持杆３８ａの両端側の割形係合片４２、４２を係着させる。この間隔保持杆３８ａで操作アーム３６、３６の間隔を保持させつつ保持体１４が接続口２４ａの内面から離脱するのを防止し、接続口２４ａ等の通風路ケーシング１２内に簡易取付ダンパー１０ａを確実に取付固定できる。また、操作アーム３６、３６には、先の間隔保持杆３８ａに限ることなく、図８に示す間隔保持杆３８ｂの両端側の係止孔４６、４６をストッパ部４８、４８に通係させて操作アーム３６、３６へ移動させてもよい。この場合にも保持体１４が接続口２４ａ内面から離脱するのを防止できる。この後で、天井面に吹出口２０を取付て同吹出口２０のネック部２０ａと接続口２４ａとを接続する。
【００４６】
また、ダンパーの取付終了後に設計、仕様変更等があって接続口２４ａ内の簡易取付型ダンパー１０ａの規格が変更になった場合には、屋内側から吹出口２０の開口に装着している吹出開口枠を取外し、作業者が吹出口２０内から空調チャンバー２０下面の接続口２４ａ内へ手先を挿入し、簡易取付ダンパー１０ａの保持体１４の操作アーム３６、３６から間隔保持杆３８を取外し、操作アーム３６、３６を圧縮して保持体１４を羽根体１８と共に取り外し、仕様変更した簡易取付型ダンパー１０ａを再び吹出口２０内から空調チャンバー２０下面の接続口２４ａ内へ挿入して弾力的に係止し、間隔保持３８を操作アーム３６、３６に取付け、羽根体による風量調整を行って吹出口２０に吹出開口枠を取付ける。
【００４７】
これにより、既設、新設の通風路ケーシング内にダンパーを後付け状態で取付けることができ、天井裏等の狭所空間で、ダンパー施工作業を簡単で施工時間を大幅に短縮できるばかりでなく、通風路ケーシングも、通常のダクトや空調機器のネック部、その他の接続部、空調機器そのもの、吹出口導入部分等の任意の位置に取付けできるから空調の設計も行い易く、設計、仕様変更等にも柔軟に対応できる。また、ドライバー等の工具類を使用することなく、バネ部材の弾力を利用して保持体を通風路ケーシング内へ取付、或は取外しでき、施工の簡易性、製造の容易性を達成し得ることとなる。
【００４８】
また、図１２に示す様に、空調チャンバー２２の側壁に設けた接続口２４ｂに着脱自在に接続させるフレキシブルダクト２６の挿入口２６ａ内に簡易取付型ダンパー１０ａを後付け状に係止して風量調整を簡単に行える。この場合には、図５、図６に示す様に、先の吹出口２０側の接続部分に係着した場合と同様に、操作アーム３６、３６を指先で把持して保持体１４を縮径させて挿入口２６ａの開口から内部へ挿入する。この挿入口２６ａの中間位置には拡径された段部６６が設けられており、この段部６６の位置まで保持体１４を挿入した後で操作アーム３６、３６の圧縮を解放し、操作アーム３６、３６に間隔保持杆３８を係着させて保持体１４の離脱を防止する。このダンパー１０ａを係止した挿入口２６ａを空調チャンバー２２の側壁に設けた接続口２４ｂに挿入して係止し、フレキシブルダクト２６等の通風路ケーシング１２内にダンパー１０ａを簡易に取付固定できる。
【００４９】
このフレキシブルダクト２６の挿入口２６ａ内に取付けた簡易取付型ダンパー１０ａに設計、仕様変更等が発生した場合においても、空調チャンバー２２の接続口２４ｂからフレキシブルダクト２６の挿入口２６ａを引き抜き、この引抜いた挿入口２６ａの端口から指先を挿入して簡易にダンパー１０ａを取外し、仕様変更した簡易取付型ダンパー１０ａを再び挿入口２６ａ内へ挿入して弾力的に係止し、この挿入口２６ａを空調チャンバー２２の接続口２４ｂに装着できて簡易取付型ダンパー１０ａの仕様、設計変更等に柔軟に対応できる。
【００５０】
次に、図９、図１０に基づいて、本発明の第２実施例に係る簡易取付型ダンパー１０ｂを説明するが、先の第１実施例と同一の構成部材には同一符号を付し、その詳細な説明は省略する。
図より明らかな様に、第２実施例に係る簡易取付型ダンパー１０ｂにおいては、羽根体１８は、平板状のフレーム６８に長矩状の整流翼を形成すべく、略コ字状の複数のスリット７０を設け、このスリット７０を押し立てて複数の整流翼７２を形成させ、これらの整流翼７２を押し立てた整流翼跡を通風開口部７４としている。前記フレーム６８の対向する両端部には、前記支持部１６、１６に連結する連結部７６、７６が設けられている。本実施例においては、整流翼７２と、この整流翼７２を取付けるフレーム６８とを一体的に成型して保持体１４に支持させる。
【００５１】
図１０に示す様に、羽根板１８は、薄鋼板を素材とし、通風路ケーシング内に嵌合する円形平板状のフレーム６８に形成されている。実施例のフレーム６８は、接続口２４が円筒体であるため、円形平板状に形成されているが、必ずしも円形平板状に限ることなく、接続口２４の断面形状に合わせ、例えば、四角形状、六角形状、多角形状等に形成してもよい。略コ字状の複数のスリット７０は、図１０上において、フレーム６８の中央部に左右方向へ向け配置された直径部Ｄに対して対称に配置され、この直径部Ｄの上下位置には長孔８８、８８が並列に開孔されている。即ち、複数のスリット７０は、フレーム６８の直径Ｄから離開するに従って半円状のフレーム６８に沿って左右長幅が短縮されている。また、前記連結部７６、７６は、直径部Ｄの両端側となる位置に円形平板状のフレーム６８と一体的に成型された連結片７８、７８を備え、この連結片７８、７８には支持部１６、１６に連結接続するための止め孔８０、８０が開口されている。
【００５２】
図９に示す様に、円形平板状の羽根体１８は、複数のスリット７０の内部をフレーム６８の図上の表面側へ略垂直に押し立てて複数の整流翼７２を形成する。この整流翼７２を押し立てた整流翼跡が通風開口部７４として開口される。また、フレーム６８の両側に一体に設けた連結片７８、７８もフレーム６８の表面側へ略垂直に押し立てる。そこで、バネ部材２８でリング状の線材３２に構成された保持体１４の両側部に係嵌させた支持板６０、６０の下端部にフレーム６８の連結片７８、７８の止め孔８０、８０をリベットピン６４、６４で連結接続してなるものである。
【００５３】
本実施例においては、保持体１４は、円形平板状のフレーム６８の円周縁より僅かに拡径された大きさであるため、図９に示す様に、保持体１４の切欠部３０の両縁から操作アーム３６、３６及びストッパ部４８、４８はフレーム６８の整流翼７２側へ折曲されている。この実施例の簡易取付型ダンパー１０ｂにおいても、操作アーム３６、３６を指先につまんで通風路ケーシング１２内への簡易取付型ダンパー１０ａの係脱着を容易に行え、挿入した後で先の第１実施例と同様に操作アーム３６、３６に間隔保持杆３８を係着させる。これにより、平板状のフレーム６８に整流翼７２と通風開口部７４を形成した羽根体１８を保持体１４の支持部１６に取付け、整流翼７２と通風開口部７４を有した羽根体１８を通風路ケーシング１２内へ簡単に取付け、取外しできる。また、羽根体１８は一体成形による量産が可能であり、製造コストも安価となる。
【００５４】
次に、図１１に基づいて本発明の第３実施例に係る簡易取付型ダンパー１０ｃについて説明するが、先の実施例と同一の部材には同一符号を付し、その詳細な説明は省略する。図より明らかなように、簡易取付型ダンパー１０ｃにおいては、羽根体１８は、平板状の板体８２の中央部に折曲部８４を形成させて開口部を開度調整させるような蝶形羽根８６とし、前記板体８２の中央部両端縁には、前記保持体１４の両側に設けた支持部１６、１６に連結する連結部７６、７６が設けられている。本実施例においては、薄鋼板を素材とした板体８２を中央部で折曲して蝶形羽根８６を形成し、この蝶形羽根８６を保持体１４に支持させる。
【００５５】
板体８２は、略八角形状に形成され、図上の左右方向に向かう中央部に折曲部８４が設けられている。板体８２は、例えば、通風路ケーシング１２の断面形状に対応して円形状、四角形状等に形成してもよい。折曲部８４は、板体８２の中央部に左右方向へ向け千鳥状に開孔された長孔８８で上下並列状に配置された２個の長孔列９０、９０を備えている。また、前記連結部７６、７６は、折曲部８４の両端側となる位置に板体８２と一体的に成型された連結片７８、７８を備え、この連結片７８、７８には保持体１４の両側に設けた支持部１６、１６に連結接続するための止め孔８０、８０が開孔されている。
【００５６】
図１１に示す様に、羽根体１８は、板体８２の両側に一体に設けた連結片７８、７８をフレーム６８の表面側へ略垂直に押し立てる。そこで、バネ部材２８でリング状の線材３２に構成された保持体１４の両側に係嵌させた支持板６０、６０の下端部に羽根体１８の連結片７８、７８をリベットピン６４、６４で連結する。そこで、中央部に設けた折曲部８４で板体８２を蝶形羽根８６状に折曲し、この状態で先の実施例と同様に、保持体１４の切欠部３０に設けた操作アーム３６、３６をつまんで保持体１４を縮径させた状態でネック部２４等の通風路ケーシング１２内の所定の位置へ挿入する。更に、操作アーム３６、３６に間隔保持杆３８を係着させる。
【００５７】
これにより、本実施例の簡易取付型ダンパー１０ｃにおいても、板体８２で蝶形羽根状に形成した羽根体１８を保持体１４の支持部１６、１６に簡単に支持し、新設或は既設の通風路ケーシング１２内へ後付け状に取付け、取外しでき、施工作業が簡単で施工時間を大幅に短縮できる。特に、本実施例においては、羽根体１８は、金属、合成樹脂を素材とした板体の一体成形による量産が可能であり、製造コストも安価に提供できる。
【００５８】
本発明に係る簡易取付型ダンパー１０は、高層ビル、マンション等の建物、或は製造工場、食品工場に設置される各種空調機器類の通風路ケーシング内に好適に装着される。本発明は上記実施例の構成に限ることなく、特許請求の範囲に記載した発明の精神を逸脱しない範囲において任意の改変を行っても良い。
【００５９】
【発明の効果】
以上説明したように、本発明に係る簡易取付型ダンパーによれば、空気の通風路ケーシング内に着脱自在に装着され、大きさを拡縮自在に変化させ得る環状の保持体と、該保持体に設けられた支持部と、該支持部に軸支され、前記空気の通風路ケーシング内を開閉する羽根体とを備えてなることにより、空調機器類のネック部や、ダクト、ダンパーその他の空調機器の既設或は設計変更等による新設の通風路ケーシング内に、後付け状に簡単にダンパーを取付けることができ、施工作業が簡単で施工時間を大幅に短縮できるばかりでなく、ダンパーを通常のダクトや空調機器のネック部、その他の接続部、空調機器そのもの、吹出口導入部分等の任意の位置に後付けで設置できるから、これらのダンパーを備える空調機器、あるいは空調システム全体の設計も円滑に行なえ、設計、仕様変更等にも柔軟に対応できる効果を奏する。また、ダンパーの取付場所を設定しておきさえすれば、とりあえず接続ダクトや機器内外の取付予定部分の形成だけで良いからダンパーのケース部分が不要となり、取付、施工の自由度の極めて高いダンパーを構成し得る。また、具体的に取りつける作業自体が非常に簡単で短時間で組み付けでき、かつ、熟練度を不要として組立作業時間を大幅に短縮させることが可能である。また、構造が極めて簡単で、量産化による低コスト化を達成し得るとともに、故障がなく、保守、点検も簡単に行なえるという効果を奏する。
【００６０】
また、前記保持体は、弾性的に拡縮するバネ部材からなることにより、ドライバー等の工具類を使用する必要がなく、保持体をバネ部材の弾力を利用して通風路ケーシング内へ簡易に取付け、或は取外しできる。また、ダンパ−の構造が簡単かつ、軽量に構成できて施工の簡易性、製造の容易性を保持すると共に、保管管理や現場への搬送等の経費を節減でき、製造コストも安価となる。
【００６１】
また、前記バネ部材は、環状の一部に切欠部を設けた線材からなることにより、本体部分である保持体の製造、加工が単に線材の切断及び曲げ加工だけで良いから簡単で低コストであるとともに、軽量であり、よって、通風路ケーシング内への保持体の取付、取外しの実効を確保できる。
【００６２】
また、前記羽根体は、前記保持体の対向する両端部で枢支された略コ字又は半円弧状の二つの枠体と、該両枠体に張設され、保持体の開口部を開度調整する膜体からなる蝶形羽根を備えてなることにより、羽根体を軽量で簡単な構造とし得るとともにダンパーとしての機能が失われることがなく、ネック部等の通風路ケーシング内等の狭い空間などへの取付け、取外しを簡易に行える。また、通風路の周縁側に風を振り分けて通流させるので整流作用を行なうと共に消音効果も有する。
【００６３】
また、前記バネ部材には、大きさを拡縮自在に変化操作させるための拡縮操作部が設けられてなることにより、天井裏等の狭い施工現場でも、作業者が拡縮操作部を手作業で、かつ簡単に操作でき、通風路ケーシングに対するダンパー取付、取外し作業を短時間で、能率よく行える。
【００６４】
また、前記拡縮操作部は、前記バネ部材の線材の切欠部の両端縁から空気の通風方向へ折曲された一対の操作アームであることにより、一対の操作アームを指先に把持し、これを例えば内側へ押圧して縮径させたバネ部材を通風路ケーシングの内面へ、または内面から簡単に係着、脱係できる。また、構造が簡単で、線材と一体的に製造でき、製造コストも安価である。
【００６５】
また、前記拡縮操作部には、前記通風路ケーシング内へのバネ部材の装着状態を確保する間隔保持杆が係着されてなることにより、通風路ケーシングの内面に弾性的に係着したバネ部材の操作アームの間隔を間隔保持杆で保持させるから、バネ部材が通風路ケーシングの内面から離脱することがなく、通風路ケーシング内にダンパーを確実に、所定位置に取付固定し得る。また、その取付位置を確実にして位置ずれや、離脱を確実に防止できる。
【００６６】
また、前記操作アームの端部は、前記線材の中心方向へ折返し状に折曲されてストッパ部が形成されてなることにより、操作アームに装着した間隔保持杆が空気の流れ方向へ移動して離脱するのを確実に防止できる。同時にこのストッパ部は拡開した羽根体の全閉状態を確実に保持することができる。
【００６７】
また、前記支持部は、前記環状の保持体に沿って移動し得るように係嵌されてなることにより、支持部に取付けた羽根体を支持部と共に環状の保持体に沿って摺動でき、バネ部材に支持した羽根体の向きや開度調整の開口部の設定位置を簡単に調整できる。
【００６８】
また、前記支持部と前記環状の保持体、前記支持部と前記枠体とはそれぞれ遊嵌状に取付け接続されてなることにより、保持体の径や流路断面の広がり方向への大きさを縮めた状態でダクト等へ挿入する場合に保持体の形状変化に伴って支持部も動くから、羽根体の外形の枠体を曲げたり、変形させるような影響を与えることなく、円滑にダクト等に対する挿入、取外しを行える。また、同時にダクト内における位置も調整可能となる。
【００６９】
また、前記支持部は、弾性を備えた支持板で形成されてなることにより、操作アームを操作してバネ部材の径の大きさを弾性的に拡縮させるときに、支持板もバネ部材の半径方向へ自由に弾性変形してバネ部材の拡縮動作が阻害されることがなく、羽根体を支持したバネ部材の通風路ケーシング内への取付、取外しの実効を確保できる。
【００７０】
また、前記羽根体は、平板状のフレームに長矩形状の整流翼を形成すべく、略コ字状の複数のスリットを設け、このスリットを押し立てて複数の整流翼を形成させ、これらの整流翼を押し立てた整流翼跡を通風開口部とし、前記フレームの対向する両端部には、前記支持部に連結する連結部が設けられてなることにより、平板状のフレームに整流翼と通風開口部を形成した羽根体を保持体の支持部に簡単に連結でき、整流翼と通風開口部を有した羽根体を通風路ケーシング内へ簡単に取付け、取外しできる。また、羽根体は一体成形による量産が可能であり、製造コストも安価となる。
【００７１】
また、前記羽根体は、平板状の板体の中央部に折曲部を形成させて開口部を開度調整させる蝶形羽根とし、前記板体の中央部両端縁には、前記支持部に連結する連結部が設けられてなることにより、平板状の板体を中央部の折曲部から折曲した蝶形羽根からなる羽根体においても、保持体の支持部に羽根体の板体を簡単に連結でき、板体で蝶形羽根状に形成した羽根体を通風路ケーシング内へ簡単に取付け、取外しできる。また、羽根体は一体成形による量産が可能であり、製造コストも安価となる。
【図面の簡単な説明】
【図１】  本発明の第１実施例に係る簡易取付型ダンパーの正面斜め上方からの斜視説明図である。
【図２】  図１に示す第１実施例に係る簡易取付型ダンパーの背面説明図である。
【図３】  第１実施例に係る簡易取付型ダンパーの右側面図である。
【図４】  第１実施例に係る簡易取付型ダンパーの支持部の一部拡大斜視説明図である。
【図５】  第１実施例に係る簡易取付型ダンパーをフレキシブルダクトのネック部へ装着する状態の斜視説明図である。
【図６】  第１実施例に係る簡易取付型ダンパーの保持体をフレキシブルダクトのネック部内へ係着させた一部切欠要部拡大説明図である。
【図７】  保持体の切欠部の操作アームに板バネを利用した間隔保持杆を係着した状態を示す要部拡大斜視説明図である。
【図８】  保持体の切欠部の操作アームに鋼板を利用した間隔保持杆を係着した状態を示す要部拡大斜視説明図である。
【図９】  本発明の第２実施例に係る簡易取付型ダンパーを示す斜視説明図である。
【図１０】  第２実施例に係る簡易取付型ダンパーを構成する円形状の板体に開溝したスリットを示す平面図である。
【図１１】  本発明の第３実施例に係る簡易取付型ダンパーを示した斜視説明図である。
【図１２】  天井裏空間に設置した空調チャンバーのダクト接続口に、本発明に係る簡易取付型ダンパーを内部に取付けたフレキシブルダクトのネック部を接続させた状態の説明図である。
【図１３】  天井面に設置した吹出口のネック部内に、本発明に係る簡易取付型ダンパーを取付けて空調チャンバーに接続させた状態の説明図である。
【図１４】  従来の取付形態により吹出口のネック部にダンパーを挿入設置させた状態の説明図である。
【符号の説明】
１０  簡易取付型ダンパー
１２  通風路ケーシング
１４  保持体
１６  支持部
１８  羽根体
２８  バネ部材
３０  切欠部
３２  線材
３４  拡縮操作部
３６  操作アーム
３８  間隔保持杆
４８  ストッパ部
５０  枠体
５２  膜体
５４  蝶形羽根
６０  支持板
６８  フレーム
７０  スリット
７２  整流翼
７４  通風開口部
８２  板体
８４  折曲部
８６  蝶形羽根
Ｃ  天井裏空間
Ｒ  室内
Ｄ  直径部
【図１】
0003790974.tif 000002
【図２】
0003790974.tif 000003
【図３】
0003790974.tif 000004
【図４】
0003790974.tif 000005
【図５】
0003790974.tif 000006
【図６】
0003790974.tif 000007
【図７】
0003790974.tif 000008
【図８】
0003790974.tif 000009
【図９】
0003790974.tif 000010
【図１０】
0003790974.tif 000011
【図１１】
0003790974.tif 000012
【図１２】
0003790974.tif 000013
【図１３】
0003790974.tif 000014
【図１４】
0003790974.tif 000015